(57)【特許請求の範囲】
【請求項１】
矩形の板状に形成されると共に、液体が貯留されたタンク内に挿入可能とされたレベルゲージ本体と、
前記レベルゲージ本体の板厚方向に貫通しかつ前記レベルゲージ本体の長手方向に沿って複数かつ相互に間隙を有して設けられると共に、前記タンクから前記レベルゲージ本体を抜去した際に前記液体が付着した状態を保持する第一スリットと、
前記レベルゲージ本体における前記タンクの前記液体の上限レベルを示す位置に設けられると共に、前記タンクから前記レベルゲージ本体を抜去した際に前記液体が付着した状態を保持しかつ前記液体の上限レベルを示す位置から車両上下方向上側に設けられた前記第一スリットと異なる形状に形成されたスリットを有する上限レベル表示部と、
前記レベルゲージ本体における前記タンクの前記液体の下限レベルを示す位置に設けられると共に、前記タンクから前記レベルゲージ本体を抜去した際に前記液体が付着した状態を保持しかつ前記液体の下限レベルを示す位置から車両上下方向下側に設けられた前記第一スリットと異なる形状に形成されたスリットを有する下限レベル表示部と、
を有しており、
前記上限レベル表示部から前記下限レベル表示部の間には、前記第一スリットに替えて、前記タンクから前記レベルゲージ本体を抜去した際に前記液体が付着した状態を保持しかつ前記第一スリットと異なる形状に形成された第二スリットが連続的に設けられている、
レベルゲージ。
【請求項２】
前記上限レベル表示部には、前記タンクから前記レベルゲージ本体を抜去した際に前記液体が付着した状態を保持しかつ前記液体の上限レベルを示す形状に形成された第三スリットが形成されており、
前記下限レベル表示部には、前記液体が付着した状態を保持しかつ前記液体の下限レベルを示す形状に形成された第四スリットが形成された、
請求項１に記載のレベルゲージ。
【発明の詳細な説明】
【技術分野】
【０００１】
本発明は、レベルゲージに関する。
【背景技術】
【０００２】
下記特許文献１には、ラジエータに接続されたリザーバタンク内の冷却水の残量を確認するレベルゲージが開示されている。具体的には、リザーバタンクの給水口に係合される有底筒状のキャップと、このキャップの底部内側面からリザーバタンク内部へと延出される板状のレベルゲージ本体と、を含んで構成されている。このレベルゲージには、付着した冷却水を保持する複数の穴が形成されると共にリザーバタンクにおける冷却水の残量の上限レベル及び下限レベルを示す目印として上限レベルの位置及び下限レベルの位置にそれぞれ凹部と、この凹部の近傍に目印としての凸部と、が形成されている。したがって、このレベルゲージの複数の穴に付着して保持される冷却水の位置を確認することでリザーバタンク内の冷却水の残量を確認できると共に、残量の上限レベルを示す凹部及び凸部と残量の下限レベルを示す凹部及び凸部との間に冷却水があるかどうかを確認できる。
【先行技術文献】
【特許文献】
【０００３】
【特許文献１】特許第５３８００８７号公報
【発明の概要】
【発明が解決しようとする課題】
【０００４】
しかしながら、特許文献１に開示された構成によると、冷却水の残量の上限レベルと下限レベルとを示す目印は凹部及び凸部の形状のみとされているため、判別しづらい可能性がある。そこで、残量の上限レベルに浮き出し文字（一例として上限レベルを示す「Ｆｕｌｌ」の頭文字「Ｆ」）を形成すると共に、下限レベルにも浮き出し文字（一例として下限レベルを示す「Ｌｏｗ」の頭文字「Ｌ」）を形成して残量の上限レベル位置と下限レベル位置とを目立たせて判別し易くすることも考えられるが、一般的にレベルゲージの材料はポリプロピレン（以下「ＰＰ」と称する。）で構成されているため、ＰＰの素材色では浮き出し文字が判別し辛い可能性がある。
【０００５】
本発明は上記問題を考慮し、液体の残量レベルを読み取る際の視認性を向上させることができるレベルゲージを得ることを目的とする。
【課題を解決するための手段】
【０００６】
請求項１記載の発明に係るレベルゲージは、矩形の板状に形成されると共に、液体が貯留されたタンク内に挿入可能とされたレベルゲージ本体と、前記レベルゲージ本体の板厚方向に貫通しかつ前記レベルゲージ本体の長手方向に沿って複数かつ相互に間隙を有して設けられると共に、前記タンクから前記レベルゲージ本体を抜去した際に前記液体が付着した状態を保持する第一スリットと、前記レベルゲージ本体における前記タンクの前記液体の上限レベルを示す位置に設けられると共に、前記タンクから前記レベルゲージ本体を抜去した際に前記液体が付着した状態を保持しかつ前記液体の上限レベルを示す位置から車両上下方向上側に設けられた前記第一スリットと異なる形状に形成されたスリットを有する上限レベル表示部と、前記レベルゲージ本体における前記タンクの前記液体の下限レベルを示す位置に設けられると共に、前記タンクから前記レベルゲージ本体を抜去した際に前記液体が付着した状態を保持しかつ前記液体の下限レベルを示す位置から車両上下方向下側に設けられた前記第一スリットと異なる形状に形成されたスリットを有する下限レベル表示部と、を有しており、前記上限レベル表示部から前記下限レベル表示部の間には、前記第一スリットに替えて、前記タンクから前記レベルゲージ本体を抜去した際に前記液体が付着した状態を保持しかつ前記第一スリットと異なる形状に形成された第二スリットが連続的に設けられている。
【０００８】
請求項２記載の発明に係るレベルゲージは、請求項１に係るレベルゲージにおいて、前記上限レベル表示部には、前記タンクから前記レベルゲージ本体を抜去した際に前記液体が付着した状態を保持しかつ前記液体の上限レベルを示す形状に形成された第三スリットが形成されており、前記下限レベル表示部には、前記液体が付着した状態を保持しかつ前記液体の下限レベルを示す形状に形成された第四スリットが形成されている。
【０００９】
請求項１記載の本発明によれば、タンク内の液体の量を確認する際には、レベルゲージをタンクから抜去した際に、第一スリット、上限レベル表示部のスリット及び下限レベル表示部のスリットに対して液体が付着している箇所を確認することでタンク内の液体の残量を確認することができる。このとき、第一スリットと上限レベル表示部のスリット及び下限レベル表示部のスリットとは形状が異なることで、上限レベル表示部のスリットが示す上限レベル及び下限レベル表示部のスリットが示す下限レベルに対するタンク内の液体の残量を容易に確認することができる。すなわち、上限レベル表示部のスリットに液体が付着している場合は、タンク内の液体が上限レベル以上にあることを容易に判断できる。また、下限レベル表示部のスリットに液体が付着しかつこの下限レベル表示部のスリットから車両上下方向上側に形成されるスリットに液体が付着していない場合は、タンク内の液体が下限レベルにあることを容易に判断できる。また、レベルゲージ本体における上限レベル表示部から下限レベル表示部の間には、レベルゲージのそれ以外の箇所に形成された第一スリットと異なる形状とされた第二スリットが連続的に形成されている。したがって、タンク内の液体が上限レベルと下限レベルとの間でどの程度入っているのかが容易に確認することができるため、タンクへの液体の補充の要否を容易に判断できる。
【００１１】
請求項２記載の本発明によれば、レベルゲージ本体における上限レベル表示部に第三スリットが形成されると共に、レベルゲージ本体における下限レベル表示部に第四スリットが形成されている。したがって、第三スリットが示す上限レベル及び第四スリットが示す下限レベルに対するタンク内の液体の残量を容易に確認することができる。すなわち、上限レベルを示す形状に形成された第三スリットに液体が付着している場合は、タンク内の液体が上限レベル以上にあることを容易に判断できる。また、下限レベルを示す形状に形成された第四スリットに液体が付着しかつ第四スリットから車両上下方向上側に形成される第一スリットに液体が付着していない場合は、タンク内の液体が下限レベルにあることを容易に判断できる。
【発明の効果】
【００１２】
請求項１記載の本発明に係るレベルゲージは、液体の残量レベルを読み取る際の視認性を向上させることができるという優れた効果を有する。
【００１４】
請求項２記載の本発明に係るレベルゲージは、液体の残量レベルを読み取る際の視認性をより一層向上させることができるという優れた効果を有する。
【図面の簡単な説明】
【００１５】
【図１】第一実施形態に係るレベルゲージを有する車両におけるエンジンルームを示す平面図である。
【図２】第一実施形態に係るレベルゲージを示す正面図である。
【図３】第二実施例に係るレベルゲージを示す正面図である。
【図４】（Ａ）は対比例に係るレベルゲージを示す部分拡大図であり、（Ｂ）は（Ａ）に示されるレベルゲージをＡ−Ａ線に沿って切断した状態を示す拡大断面図である。
【図５】（Ａ）はその他の対比例に係るレベルゲージを示す部分拡大図であり、（Ｂ）は（Ａ）における上限レベル表示位置に設けられた浮き出し文字を示す斜視図であり、（Ｃ）は（Ｂ）に示される浮き出し文字をＢ−Ｂ線に沿って切断した状態を示す拡大断面図である。
【発明を実施するための形態】
【００１６】
（第一実施形態）
以下、図１、２を用いて、本発明に係るレベルゲージの第一実施形態について説明する。なお、これらの図において示される矢印ＦＲは車両の前方向、矢印ＯＵＴは車両幅方向外側をそれぞれ示す。
【００１７】
図１に示されるように、車両１０の前部には、エアクリーナ１２と接続されたエンジン本体１４が収容されたエンジンルーム１６が設けられている。このエンジンルーム１６の車両前後方向前側における左側端部に設けられたヘッドライト１８と右側端部に設けられたヘッドライト１８との間には、エンジン本体１４を冷却する液体としての冷却水を内部に有しかつこの冷却水を冷却するラジエータ２０が設けられている。ラジエータ２０には、高温時に冷却水を受け止めるタンクとしてのリザーバタンク２２が接続されている。
【００１８】
リザーバタンク２２の車両上下方向上面には、車両上下方向に向かって開口された図示しない給水口が形成されると共に、この給水口を塞ぐように係合されるリザーバタンクキャップ２４が設けられている。リザーバタンクキャップ２４には、図２に示されるように、車両上下方向下側へ向かって延出された矩形板状に形成されたレベルゲージ本体としてのレベルゲージ２６が取り付けられている。リザーバタンクキャップ２４をリザーバタンク２２の給水口に係合させた状態では、レベルゲージ２６がリザーバタンク２２内に挿入される。
【００１９】
レベルゲージ２６の短手方向の一方の端部２８の車両上下方向上側には、上限レベル表示部２９が設けられている。上限レベル表示部２９には、レベルゲージ２６の短手方向に沿って外側へ突出された台形片状の上部突出部３０が形成されている。この上限レベル表示部２９と上部突出部３０とは、リザーバタンクキャップ２４をリザーバタンク２２の給水口に係合させた状態でリザーバタンク２２内の冷却水があらかじめ設定された最大容量時にある場合の冷却水の液面とレベルゲージ２６とが接する位置、すなわち、冷却水の上限レベルの位置に形成されている。なお、上部突出部３０には、冷却水が最大容量にあることを示す「Ｆｕｌｌ」の頭文字「Ｆ」の形状でレベルゲージ２６の板厚方向外側へと突出する浮き出し文字が設けられている。
【００２０】
レベルゲージ２６の長手方向に沿った一方の端部２８の車両上下方向下側には、下限レベル表示部３１が設けられている。下限レベル表示部３１には、上限レベル表示部２９と同様にレベルゲージ２６の短手方向に沿って外側へ突出された台形片状の下部突出部３２が形成されている。この上限レベル表示部２９と下部突出部３２とは、リザーバタンクキャップ２４をリザーバタンク２２の給水口に係合させた状態でリザーバタンク２２内の冷却水があらかじめ設定された最小容量時にある場合の冷却水の液面とレベルゲージ２６とが接する位置、すなわち、下限レベルの位置に形成されている。なお、下部突出部３２には、冷却水が最小容量にあることを示す「Ｌｏｗ」の頭文字「Ｌ」の形状でレベルゲージ２６の板厚方向外側へと突出する浮き出し文字が設けられている。
【００２１】
レベルゲージ２６には、上限レベル表示部２９から車両上下方向上側への範囲と、下限レベル表示部３１から車両上下方向下側への範囲と、にレベルゲージ２６の板厚方向に貫通して形成された第一スリット３８が複数形成されている。この第一スリット３８は、レベルゲージ２６の板厚方向に見て直線状のスリットの中央に円弧を重ねた形状に形成されていると共に、長手方向がレベルゲージ２６の短手方向に沿うように配置されている。そして、それぞれの第一スリット３８は相互に間隙を有して等間隔に配置されている。
【００２２】
レベルゲージ２６において、上限レベル表示部２９から下限レベル表示部３１の間の全部には、レベルゲージ２６の板厚方向に貫通しかつ第一スリット３８と異なる形状とされた第二スリット４０が複数形成されている。各第二スリット４０は、レベルゲージ２６の板厚方向に見てＸ字状に形成されている。そして、それぞれの第二スリット４０は相互に間隙を有して等間隔に配置されている。
【００２３】
冷却水が内部に貯留されたリザーバタンク２２内にレベルゲージ２６を挿入すると、冷却水がレベルゲージ２６に付着する。そして、レベルゲージ２６をリザーバタンク２２から抜去しても、冷却水の液面張力によってレベルゲージ２６の第一スリット３８及び第二スリット４０に冷却水が付着した状態が保持される。この第一スリット３８及び第二スリット４０に対して付着された冷却水の位置によって、リザーバタンク２２内の冷却水の残量を確認することができる。具体的には、冷却水が付着されたスリットと冷却水が付着されていないスリットとが隣接する位置を読み取ることで残量を確認することができる。すなわち、冷却水が付着されたスリットと冷却水が付着されていないスリットとが隣接する位置が上部突出部３０に近い位置の場合は、冷却水は最大容量に近い状態にあると判断することができる。反対に、冷却水が付着されたスリットと冷却水が付着されていないスリットとが隣接する位置が下部突出部３２に近い位置の場合では、冷却水が最小容量に近い状態にあると判断することができる。
【００２４】
（第１実施形態の作用・効果）
次に、本実施形態の作用並びに効果を説明する。
【００２５】
ここで、図４、５に示される対比例を用いながら、本実施形態の作用並びに効果を説明することにする。なお、本実施形態と同一構成部分については同一番号を付してその説明を省略する。
【００２６】
図４（Ａ）に示されるように、リザーバタンクキャップ２４に取り付けられた車両上下方向下側へ向かって延出されたレベルゲージ１００には、レベルゲージ１００の板厚方向に貫通して形成されたスリット１０２が複数設けられている。このスリット１０２は、レベルゲージ１００の板厚方向に見て矩形状に形成されていると共に、長手方向がレベルゲージ１００の短手方向に沿うように配置されている。そして、それぞれのスリット１０２は相互に間隙を有して等間隔に配置されている。
【００２７】
レベルゲージ１００には、上限レベル用凹部１０６と下限レベル用凹部１０８が形成されている。この上限レベル用凹部１０６は、リザーバタンクキャップ２４をリザーバタンク２２の給水口に係合させた状態で、リザーバタンク２２内の冷却水があらかじめ設定された最大容量時にある場合のこの冷却水の液面とレベルゲージ１００とが接する位置に形成されている。図４（Ｂ）に示されるように、上限レベル用凹部１０６は、レベルゲージ１００の表面１１２と裏面１１４とにそれぞれ形成されている。
【００２８】
図４（Ａ）に示される下限レベル用凹部１０８は、リザーバタンクキャップ２４をリザーバタンク２２の給水口に係合させた状態で、リザーバタンク２２内の冷却水があらかじめ設定された最小容量時にある場合のこの冷却水の液面とレベルゲージ１００とが接する位置に形成されている。この下限レベル用凹部１０８は、上限レベル用凹部１０６と同様、レベルゲージ１００の表面１１２と裏面１１４とにそれぞれ形成されている。
【００２９】
上限レベル用凹部１０６の長手方向における端部の略中央部には、レベルゲージ１００の短手方向における端部１１６に向かって凸部１１８が設けられている。この凸部１１８は、レベルゲージ１００の短手方向に沿ってかつレベルゲージ１００の外側に向かって突出するように形成されている。したがって、上限レベル用凹部１０６の位置を把握することが可能となる。また、下限レベル用凹部１０８の長手方向における端部の略中央部にも、上限レベル用凹部１０６と同様、レベルゲージ１００の短手方向における端部１１６に向かって凸部１１８が設けられている。
【００３０】
これにより、冷却水が内部に貯留されたリザーバタンク２２内にレベルゲージ１００を挿入し引き出すと、冷却水がレベルゲージ１００に付着すると共に、冷却水の液面張力によってレベルゲージ１００のスリット１０２に冷却水が付着した状態が保持される。この冷却水が付着されたスリット１０２の位置によって、リザーバタンク２２内の冷却水の残量を確認することができる。
【００３１】
しかしながら、対比例の構成によると、冷却水の最大容量と最小容量とを示す目印は下限レベル用凹部１０８及び凸部１１８のみとされているため、判別しづらい可能性がある。そこで、図５（Ａ）に示されるように、レベルゲージ１００における冷却水の最大容量を示す上限レベル表示部２９に冷却水が最大容量であることを示す「Ｆｕｌｌ」の頭文字「Ｆ」の形状で板厚方向外側に突出させた浮き出し文字１２０（図５（Ｂ）参照）を形成し、同様にレベルゲージ１００における冷却水の最小位置を示す下限レベル表示部３１に冷却水が最小容量であることを示す「Ｌｏｗ」の頭文字「Ｌ」の形状で板厚方向外側に突出させた浮き出し文字１２２を形成して判別し易くすることも考えられる。しかしながら、一般的にレベルゲージ１００の材料は、冷却水が高温になるため高温下で変形しづらいＰＰで構成されるが、ＰＰの素材色は光の透過性が低い白色であるため、図５（Ｃ）に示されるように、浮き出し文字１２０（及び浮き出し文字１２２）とそれ以外の箇所とでの光の透過率の差が少なく、結果として浮き出し文字１２０、１２２とレベルゲージ１００におけるそれ以外の箇所とで光の反射する量は略同一となる。つまり、冷却水の容量を確認する確認者の目はほぼ同じ量の反射光Ｌを受けるため、浮き出し文字１２０、１２２が判別し辛い可能性がある。
【００３２】
これに対し、本実施形態では、図２に示されるように、リザーバタンク２２内の冷却水の量を確認する際には、レベルゲージ２６をリザーバタンク２２から抜去した際に、第一スリット３８、上限レベル表示部２９のスリット及び下限レベル表示部３１のスリットに対して液体が付着している箇所を確認することでリザーバタンク２２内の冷却水の残量を確認することができる。このとき、第一スリット３８と上限レベル表示部２９のスリット及び下限レベル表示部３１のスリットとは形状が異なることで、上限レベル表示部２９のスリットが示す上限レベル及び下限レベル表示部３１のスリットが示す下限レベルに対するリザーバタンク２２内の冷却水の残量を容易に確認することができる。すなわち、上限レベル表示部２９のスリットに冷却水が付着している場合は、リザーバタンク２２内の冷却水が上限レベル以上にあることを容易に判断できる。また、下限レベル表示部３１のスリットに液体が付着しかつこの下限レベル表示部３１のスリットから車両上下方向上側に形成されるスリットに冷却水が付着していない場合は、リザーバタンク２２内の冷却水が下限レベルにあることを容易に判断できる。これにより、冷却水の残量レベルを読み取る際の視認性を向上させることができる。
【００３３】
また、レベルゲージ２６における上限レベル表示部２９から下限レベル表示部３１までの範囲には、レベルゲージ２６のそれ以外の箇所に形成された第一スリット３８と異なる形状とされた第二スリット４０が連続的に形成されている。したがって、リザーバタンク２２内の冷却水が上限レベルと下限レベルとの間でどの程度入っているのかが容易に確認することができるため、リザーバタンク２２への冷却水の補充の要否を容易に判断できる。これにより、冷却水の残量レベルを読み取る際の視認性をさらに向上させることができる。
【００３４】
（第２実施形態）
次に、図３を用いて、本発明の第２実施形態に係るレベルゲージについて説明する。なお、前述した第１実施形態等と同一構成部分については、同一番号を付してその説明を省略する。
【００３５】
この第２実施形態に係るレベルゲージ４１は、基本的な構成は第１実施形態と同様とされ、上部突出部３０に第三スリット４２と、下部突出部３２に第四スリット４４とが設けられている点に特徴がある。
【００３６】
すなわち、図３に示されるように、レベルゲージ４１における上部突出部３０に対応した位置には、レベルゲージ４１の板厚方向に貫通して形成されかつ第一スリット３８と異なる形状とされた第三スリット４２が形成されている。具体的には、第三スリット４２は、冷却水が最大容量にありレベルゲージ４１における上限レベルであることを示す「Ｆｕｌｌ」の頭文字「Ｆ」字状に形成されている。
【００３７】
また、レベルゲージ４１における下部突出部３２に対応した位置には、レベルゲージ４１の板厚方向に貫通して形成されかつ第一スリット３８と異なる形状とされた第四スリット４４が形成されている。具体的には、第四スリット４４は、冷却水が最小容量にあり、レベルゲージ４１における下限レベルであることを示す「Ｌｏｗ」の頭文字「Ｌ」字状に形成されている。
【００３８】
レベルゲージ４１における上部突出部３０に対応した位置と下部突出部３２に対応した位置以外には、複数の第一スリット３８が相互に間隙を有して等間隔に配置されている。
【００３９】
（第２実施形態の作用・効果）
次に、第２実施形態の作用並びに効果を説明する。
【００４０】
上記構成によれば、レベルゲージ４１における上限レベル表示部２９に第三スリット４２が形成されると共に、レベルゲージ４１における下限レベル表示部３１に第四スリット４４が形成されている。したがって、第三スリット４２が示す上限レベル及び第四スリット４４が示す下限レベルに対するリザーバタンク２２内の冷却水の残量を容易に確認することができる。すなわち、上限レベルを示す形状に形成された第三スリット４２に冷却水が付着している場合は、リザーバタンク２２内の冷却水が上限レベル以上にあることを容易に判断できる。また、下限レベルを示す形状に形成された第四スリット４４に冷却水が付着しかつ第四スリット４４から車両上下方向上側に形成される第一スリット３８に冷却水が付着していない場合は、リザーバタンク２２内の冷却水が下限レベルにあることを容易に判断できる。これにより、冷却水の残量レベルを読み取る際の視認性をより一層向上させることができる。
【００４１】
なお、本実施形態では、第三スリット４２はレベルゲージ４１の板厚方向に見てＦ字状に形成されているが、これに限らず、その他の形状としても良い。同様に、第四スリット４４はレベルゲージ４１の板厚方向に見てＬ字状に形成されているが、これに限らず、その他の形状としてもよい。同様に、第一実施形態では、第一スリット３８が略矩形状に形成されていると共に第二スリット４０がＸ字状に形成されているが、これに限らず、その他の形状としてもよい。
【００４２】
また、上述した第一実施形態では、上限レベル表示部２９から下限レベル表示部３１の間の全部に第二スリット４０が形成された構成とされているが、これに限らず、上限レベル表示部２９から下限レベル表示部３１の間の一部に第二スリット４０が形成された構成としてもよい。すなわち、上限レベル表示部２９から下限レベル表示部３１の間かつ上限レベル表示部２９及び下限レベル表示部３１の少なくとも一方を含まない位置に第二スリット４０が形成される構成としてもよい。一例として、上限レベル表示部２９より車両下方かつ下限レベル表示部３１より車両上方の範囲に第二スリット４０が形成されると共に、上限レベル表示部２９に第三スリット４２が形成されさらに下限レベル表示部３１に第四スリット４４が形成された構成とすることで、リザーバタンク２２内の液体が上限レベルと下限レベルとの間でどの程度入っているのかがさらに容易に確認することができる。なお、この例が、請求項２を引用する請求項３に係る発明の一実施形態である。
【００４３】
さらに、上述した第一、第二実施形態では、レベルゲージ２６、４１はラジエータ２０のリザーバタンク２２に適用される構成とされているが、これに限らず、ウィンドシールドのウォッシャータンク等その他の液体が貯留されるタンクに適用される構成としてもよい。
【００４４】
以上、本発明の実施形態について説明したが、本発明は、上記に限定されるものでなく、その主旨を逸脱しない範囲内において上記以外にも種々変形して実施することが可能であることは勿論である。
【符号の説明】
【００４５】
２２   リザーバタンク(タンク)
２６   レベルゲージ
２９   上限レベル表示部
３１   下限レベル表示部
３８   第一スリット
４０   第二スリット
４１   レベルゲージ
４２   第三スリット
４４   第四スリット
【図１】
0006399584.tif 000002
【図２】
0006399584.tif 000003
【図３】
0006399584.tif 000004
【図４】
0006399584.tif 000005
【図５】
0006399584.tif 000006